(57)【要約】  本発明の分岐装置は、端局装置から伝送路を介して受信する光信号を転送する装置に電力を供給するための複数の給電路の接続先を、端局装置から受信する制御信号にしたがって切り替える給電路切替部（１４）と、複数の給電路のそれぞれについて、電流が流れているか否かの情報と電流が流れている場合には電流方向の情報を含む検出信号を出力する電流検出部（１３）と、電流検出部（１３）から受信する複数の検出信号のうち、少なくとも１つの検出信号に基づく監視結果を端局装置に送信する監視部（１５）と、を有する。
2013094266.tif 000002
【特許請求の範囲】
【請求項１】
端局装置から伝送路を介して受信する光信号を転送する装置に電力を供給するための複数の給電路の接続先を、前記端局装置から受信する制御信号にしたがって切り替える給電路切替部と、
前記複数の給電路のそれぞれについて、電流が流れているか否かの情報と電流が流れている場合には電流方向の情報を含む検出信号を出力する電流検出部と、
前記電流検出部から受信する複数の検出信号のうち、少なくとも１つの検出信号に基づく監視結果を前記端局装置に送信する監視部と、
を有する分岐装置。
【請求項２】
請求項１記載の分岐装置において、
前記監視部は、前記端局装置から前記制御信号を受信すると、前記複数の給電路のうち、前記制御信号によって切り替えが指示された給電路に対応する検出信号の情報を前記監視結果として前記端局装置に送信する、分岐装置。
【請求項３】
請求項１または２記載の分岐装置において、
前記監視部は、一定時間毎に、前記複数の検出信号の情報を前記監視結果として前記端局装置に送信する、分岐装置。
【請求項４】
端局装置から伝送路を介して光信号を転送する装置に電力を供給するための複数の給電路の接続先を切り替える分岐装置による給電路監視方法であって、
前記端局装置から受信する制御信号にしたがって、前記複数の給電路の接続先を切り替え、
前記複数の給電路のそれぞれについて、電流が流れているか否かと、電流が流れている場合には電流方向を検出し、
前記複数の給電路のうち、少なくとも１つの給電路について、電流が流れているか否かの情報および前記電流方向の情報に基づく監視結果を前記端局装置に送信する、給電路監視方法。
【発明の詳細な説明】
【技術分野】
【０００１】
本発明は、光信号を伝送する装置への給電路を切り替え可能な分岐装置、および給電路監視方法に関する。
【背景技術】
【０００２】
海底ケーブル伝送路を用いて光信号を伝送する光ネットワークシステムの一例が特許文献１に開示されている。特許文献１に開示されたシステムでは、光信号を転送するための中継器および分岐装置が海中に配置されているため、分岐装置に対して、給電路の切り替え制御を陸上端局から行っている。このような分岐装置は、遠隔制御型分岐装置と呼ばれている。
【先行技術文献】
【特許文献】
【０００３】
【特許文献１】特開２００２−５７６０７号公報
【発明の概要】
【０００４】
特許文献１に開示された遠隔制御型分岐装置では、陸上端局からの制御信号により給電路を切り替えるが、給電路の切り替えが正常に行われたか否かを確かめることができないという問題がある。
【０００５】
例えば、陸上端局が分岐装置に給電路を切り替えさせても、光信号を分岐装置から受信できない場合、分岐装置内で光信号を転送する装置が故障しているのか、それとも、その装置に電力を供給できないのか、原因を特定することができない。両方の場合を想定して対策を取ろうとすると、対策のための時間と費用が多くかかってしまうことになる。
【０００６】
本発明の目的の一つは、遠隔制御による給電路切り替えを確認可能にした分岐装置および給電路監視方法を提供することである。
【０００７】
本発明の一側面の分岐装置は、端局装置から伝送路を介して受信する光信号を転送する装置に電力を供給するための複数の給電路の接続先を、端局装置から受信する制御信号にしたがって切り替える給電路切替部と、複数の給電路のそれぞれについて、電流が流れているか否かの情報と電流が流れている場合には電流方向の情報を含む検出信号を出力する電流検出部と、電流検出部から受信する複数の検出信号のうち、少なくとも１つの検出信号に基づく監視結果を端局装置に送信する監視部と、を有する構成である。
【０００８】
本発明の一側面の給電路監視方法は、端局装置から伝送路を介して光信号を転送する装置に電力を供給するための複数の給電路の接続先を切り替える分岐装置による給電路監視方法であって、端局装置から受信する制御信号にしたがって、複数の給電路の接続先を切り替え、複数の給電路のそれぞれについて電流が流れているか否かと電流が流れている場合には電流方向を検出し、複数の給電路のうち、少なくとも１つの給電路について電流が流れているか否かの情報および電流方向の情報に基づく監視結果を端局装置に送信するものである。
【図面の簡単な説明】
【０００９】
【図１】図１は本実施形態の分岐装置を含む光ネットワークシステムの一構成例を示すブロック図である。
【図２】図２は図１に示した分岐装置の一構成例を示すブロック図である。
【図３】図３は図２に示した給電部の一構成例を示すブロック図である。
【図４】図４は、本実施形態において、給電路の監視を行う構成を説明するための図である。
【図５】図５は図３に示した監視部の一構成例を示すブロック図である。
【図６】図６は本実施形態の給電路監視方法の手順を示すフローチャートである。
【図７】図７は給電方法の一構成例を示す図である。
【図８】図８は給電方法の別の構成例を示す図である。
【発明を実施するための形態】
【００１０】
本実施形態の分岐装置の構成を説明する。図１は本実施形態の分岐装置を含む光ネットワークシステムの一構成例を示すブロック図である。
【００１１】
図１に示すように、光ネットワークシステムは、陸上に設けられた端局装置２０１、２０２、２０５と、光信号を合成または分岐させる分岐装置（Branching Unit）５と、光信号を中継する中継器２５１〜２５３とを有する。図１に示す端局装置、分岐装置および中継器のそれぞれの数は一例であり、図１に示す数に限定されない。
【００１２】
分岐装置５は、端局装置２０１および端局装置２０５のそれぞれと、光信号を伝送するための伝送路２を介して接続されている。伝送路２の途中には、減衰した光信号を増幅して転送する中継器２５１、２５３が設けられている。端局装置２０１と分岐装置５の間には、中継器２５１を経由する給電路６ａが伝送路２に沿って設けられている。端局装置２０５と分岐装置５の間には、中継器２５３を経由する給電路６ｂが伝送路２に沿って設けられている。
【００１３】
また、分岐装置５は、光信号を伝送するための伝送路３を介して端局装置２０２と接続されている。伝送路３の途中には中継器２５２が設けられている。端局装置２０２と分岐装置５の間には、中継器２５２を経由する給電路６ｃが伝送路３に沿って設けられている。
【００１４】
図２は図１に示した分岐装置の一構成例を示すブロック図である。
【００１５】
図２に示すように、分岐装置５は、光信号を合成または分岐させる光アッド／ドロップ回路１１と、給電路を切り替える給電部１０とを有する。給電部１０は、給電端子６０ａ〜６０ｃを有する。給電端子６０ａは給電路６ａと接続され、給電端子６０ｂは給電路６ｂと接続され、給電端子６０ｃは給電路６ｃと接続されている。給電部１０は分岐装置５内に設けられた装置への給電を行い、図２では、給電部１０が光アッド／ドロップ回路１１に供給する電流の流れを矢印で示す。
【００１６】
図２に示すように、端局装置２０５から伝送路２ａを介して出力される光信号は、分岐装置５内の光アッド／ドロップ回路１１および給電路１０を経由して、端局装置２０１に伝送される。端局装置２０１から伝送路２ｂを介して出力される光信号は、分岐装置５内の給電路１０および光アッド／ドロップ回路１１を経由して、端局装置２０５に伝送される。端局装置２０２から出力される光信号は伝送路３ａを介して光アッド／ドロップ回路１１に伝送される。光アッド／ドロップ回路１１から端局装置２０２宛に出力される光信号は伝送路３ｂを介して伝送される。
【００１７】
図３は図２に示した給電部の一構成例を示すブロック図である。
【００１８】
図３に示すように、給電部１０は、給電路の電流方向を整流するダイオードブリッジ回路１２と、給電路に流れる電流を検出する電流検出部１３と、給電路の接続先を切り替えるリレーを含む給電路切替部１４と、制御信号にしたがってリレー接点の切り替えを給電路切替部１４に指示する切替制御部１６と、電流検出部１３で検出される電流とその方向を監視する監視部１５とを有する。
【００１９】
ダイオードブリッジ回路１２から伸びる給電路が、図２に示した光アッド／ドロップ回路１１ならびに図３に示す監視部１５、切替制御部１６および電流検出部１３を経由してダイオードブリッジ回路１２に接続されている。この構成により、電流検出部１３に設けられる、後述のセンサにも給電される。分岐装置５の内部には、給電端子６０ａ〜６０ｃに接続される３枝の給電路と海中アース（ＳＥ：Sea Earth）とを合わせた４枝が設けられており、給電路切替部１４がリレー接点を切り替えることで４枝のうちの２枝をペアとした給電構成が形成される。ダイオードブリッジ回路１２は、端局装置からの給電の極性によらず、４枝のうちの２枝を用いて光アッド／ドロップ回路１１、監視部１５および切替制御部１６に電流方向が一定になるように給電する。
【００２０】
電流検出部１３は、給電路切替部１４とダイオードブリッジ回路１２の間に配置され、ダイオードブリッジ回路１２に流れる電流を監視し、電流が流れているか否かと電流が流れている場合の電流方向の情報を含む検出信号を監視部１５に送信する。監視部１５は、端局装置２０５から伝送路２ａを介して受信する光信号から制御信号を分離して切替制御部１６に転送する。また、監視部１５は、電流検出部１３から受信する検出信号に基づく監視結果の情報を光信号に変換し、その光信号を伝送路２ｂを介して端局装置２０５に送信する。
【００２１】
切替制御部１６は、監視部１５から受信する制御信号に対応して、リレー接点を切り替えるための指示信号を、給電路切替部１４に設けられたリレーに送信する。切替制御部１６の構成については、その一例が特許文献１に開示されており、その詳細な説明を省略する。例えば、特許文献１の給電路切替スイッチ４ｒが本実施形態における切替制御部１６および給電路切替部１４に相当する。切替制御部１６は特許文献１に開示された構成に限定されない。
【００２２】
なお、本実施形態では、監視部１５が監視結果の情報を伝送路２ｂを介して端局装置２０５に返信する場合で説明するが、監視結果の情報を伝送路２ａを介して端局装置２０１に送信してもよい。また、図１〜図３に示す構成では、伝送路２ａは、端局装置２０５から分岐装置５を経由して端局装置２０１に接続されているが、端局装置２０５から分岐装置５で折り返して端局装置２０５に戻る構成であってもよい。この場合、監視部１５は、端局装置２０５から制御信号を受信した伝送路２ａを用いて、監視結果の情報を端局装置２０５に返信すればよい。
【００２３】
さらに、本実施形態では、分岐装置５に光アッド／ドロップ回路１１が設けられている場合で説明するが、光アッド／ドロップ回路が設けられていなくてもよく、光アッド／ドロップ回路以外の構成が設けられていてもよい。
【００２４】
次に、図３に示した給電部のうち、切替制御部１６を除く構成について詳しく説明する。図４は、本実施形態において、給電路の監視を行う構成を説明するための図である。
【００２５】
図４では、給電部１０の一部の構成を示し、図２に示した光アッド／ドロップ回路１１ならびに図３に示した切替制御部１６および電流検出部１３に給電するための給電路を図に示すことを省略している。
【００２６】
ダイオードブリッジ回路１２は、ダイオード２１ａ〜２１ｄ、２３ａ〜２３ｄを有する。ダイオード２１ａ、２３ａが、監視部１５に接続された給電路２５に直列に接続されている。直列接続のダイオード２１ａ、２３ａに対して、直列接続のダイオード２１ｂ、２３ｂと、直列接続のダイオード２１ｃ、２３ｃと、直列接続のダイオード２１ｄ、２３ｄが並列に接続されている。
【００２７】
ダイオード２１ａおよびダイオード２３ａの間に給電路２７ａが接続され、ダイオード２１ｂおよびダイオード２３ｂの間に給電路２７ｂが接続されている。ダイオード２１ｃおよびダイオード２３ｃの間に給電路２７ｃが接続され、ダイオード２１ｄおよびダイオード２３ｄの間に給電路２７ｄが接続されている。これらの給電路２７ａ〜２７ｃは分岐装置５内に設けられた給電路である。
【００２８】
給電路切替部１４はリレー４５ａ〜４５ｄを有する。リレー４５ｄは、一方の端子がＳＥに接続され、他方の端子が接点４１ｄまたは接点４３ｄに接続可能な構成である。接点４１ｄは給電路２７ｄに接続されている。接点４３ｄはＳＥに接続されている。リレー４５ａは、一方の端子が給電端子６０ａに接続され、他方の端子が接点４１ａまたは接点４３ａに接続可能な構成である。接点４１ａは給電路２７ａに接続されている。
【００２９】
リレー４５ｂは、一方の端子が給電端子６０ｂに接続され、他方の端子が接点４１ｂまたは接点４３ｂに接続可能な構成である。接点４１ｂは給電路２７ｂに接続されている。リレー４５ｃは、一方の端子が給電端子６０ｃに接続され、他方の端子が接点４１ｃまたは接点４３ｃに接続可能な構成である。接点４１ｃは給電路２７ｃに接続されている。接点４３ａ〜４３ｃはＳＥに接続されている。
【００３０】
上述の構成により、リレー４５ａは、指示信号にしたがって給電端子６０ａを給電路２７ａまたはＳＥに接続する。リレー４５ｂは、指示信号にしたがって給電端子６０ｂを給電路２７ｂまたはＳＥに接続する。リレー４５ｃは、指示信号にしたがって給電端子６０ｃを給電路２７ｃまたはＳＥに接続する。リレー４５ｄは、指示信号にしたがって、給電路２７ｄをＳＥに接続するか、または、接続しない状態にする。
【００３１】
図４に示すように、電流検出部１３は、給電路２７ａ〜２７ｄに流れる電流を監視するために、ダイオードブリッジ回路１２および給電路切替部１４の間に設けられている。電流検出部１３はセンサ３１ａ〜３１ｄを有する。
【００３２】
センサ３１ａが給電路２７ａに設けられ、センサ３１ｂが給電路２７ｂに設けられている。センサ３１ｃが給電路２７ｃに設けられ、センサ３１ｄが給電路２７ｄに設けられている。センサ３１ａ〜３１ｄのそれぞれは、給電路に直列に接続された抵抗素子を有し、給電路における所定の長さの電位差を検出することで、電流値と電流方向の情報を含む検出信号を監視部１５に送信する。
【００３３】
図５は図３に示した監視部の一構成例を示すブロック図である。
【００３４】
図５に示すように、監視部１５は、伝送路２ａを介して伝送される光信号から所定の光信号を分岐させる光カプラ５１と、光カプラ５１から入力される光信号を電気信号に変換するフォトダイオード（ＰＤ）５２と、電流検出部１３から受信する検出信号に基づく監視結果の情報を出力する監視制御回路５５と、監視制御回路５５から出力される電気信号を光信号に変換するレーザダイオード（ＬＤ）５７と、ＬＤ５７から出力される光信号を伝送路２ｂに合成する光アンプ５６とを有する。
【００３５】
光カプラ５１は、伝送路２ａを介して入力される光信号から制御信号を含む光信号を抽出してＰＤ５２に送信する。ＰＤ５２は光カプラ５１から受信した光信号を、電気信号の制御信号に変換する。ＰＤ５２から出力された制御信号は、監視制御回路５５に入力される。
【００３６】
監視制御回路５５は、例えば、半導体集積回路である。監視制御回路５５は、ゲートアレイであってもよく、ＣＰＵ（Central Processing Unit）であってもよい。監視制御回路５５は、ＰＤ５２から制御信号を受信すると、制御信号を切替制御部１６に転送するとともに、制御信号の情報をメモリ（不図示）に保持し、センサ３１ａ〜３１ｄから受信する検出信号のうち、制御信号に対応するセンサの検出信号から電流値および電流方向の情報を読み出す。そして、監視制御回路５５は、電流値の情報と電流が流れている場合には電流の方向の情報を含む監視結果を示す電気信号をＬＤ５７に送信する。端局装置では、監視結果に含まれる電流値の情報がゼロに近い値であれば電流が流れていないと認識し、予め決められた閾値以上であれば、電流が流れていると認識することが可能となる。
【００３７】
ＬＤ５７は、監視制御回路５５から受信する電気信号を光アンプ５６の励起光源に変調した光信号にして光アンプ５６を介して伝送路２ｂに入力する。
【００３８】
ここで、制御信号、指示信号、検出信号および監視結果の情報の具体例を説明する。
【００３９】
図４に示した構成において、制御信号が給電端子６０ｃをＳＥに接続することを意味するものであるとき、切替制御部１６がリレー４５ｃに送信する指示信号は接点を接点４１ｃから接点４３ｃに切り替えることを意味するものである。センサ３１ｃから出力される検出信号は電流値がゼロに近い値であることを示す情報となる。監視結果の情報は、給電端子６０ｃに接続される給電路６ｃに電流が流れていないことを示す情報となる。
【００４０】
なお、本実施形態では、図５を参照して、監視部１５が伝送路２ａを介して制御信号を含む光信号を受信し、監視結果の情報を含む光信号を伝送路２ｂを介して送信する場合で説明したが、伝送路２ａ、２ｂだけでなく、伝送路３ａ、３ｂを介して光信号を送受信できるようにしてもよい。この場合、伝送路２ａ、２ｂの組および伝送路３ａ、３ｂの組のいずれか一方の組の伝送路に障害が発生しても、他方の組の伝送路を利用して、給電路の切り替え制御およびその監視を行うことが可能となる。
【００４１】
また、電流検出部１３に設けられたセンサ３１ａ〜３１ｄは、非接触型のＭＲ（Magnetic Resistance）センサおよびホール素子等の磁気センサであってもよい。
【００４２】
次に、本実施形態の分岐装置５の動作を、図４および図５を参照して説明する。
【００４３】
図４では、リレー４５ａが接点４１ａに接続され、リレー４５ｂが接点４１ｂに接続され、リレー４５ｃが接点４１ｃに接続され、リレー４５ｄが接点４３ｄに接続されている。この状態から、リレー４５ｃの接点を接点４１ｃから接点４３ｃに切り替えるものとする。また、給電路６ａは端局装置２０１において正極の電位であり、給電路６ｂは端局装置２０５において負極の電位であるものとする。
【００４４】
図６は本実施形態の給電路監視方法の手順の一例を示すフローチャートである。
【００４５】
端局装置２０５が、操作者の入力指示にしたがって、給電端子６０ｃをＳＥに接続する旨の制御信号を含む光信号を伝送路６ｂを介して分岐装置５に送信する。分岐装置５の監視部１５は、端局装置２０５から光信号を受信し、光信号から制御信号を抽出すると、制御信号を監視制御回路５５に保持し、制御信号を切替制御部１６に転送する。切替制御部１６は監視部１５から制御信号を受信すると、接点を接点４１ｃから接点４３ｃに切り替える旨の指示信号をリレー４５ｃに送信する。リレー４５ｃは、切替制御部１６から受信した指示信号にしたがって接点を接点４１ｃから接点４３ｃに切り替える（ステップ１０１）。
【００４６】
電流は、端局装置２０１→給電路６ａ→給電端子６０ａ→給電路２７ａ→ダイオード２１ａ→監視部１５→ダイオード２３ｂ→給電路２７ｂ→給電端子６０ｂ→給電路６ｂ→端局装置２０５の方向に流れる。センサ３１ａは、給電路２７ａの電流値と給電路２７ａを流れる電流の方向が給電端子６０ａからダイオードブリッジ回路１２への方向である旨の情報を含む検出信号を監視部１５に送信する。センサ３１ｂは、給電路２７ｂの電流値と給電路２７ｂを流れる電流方向がダイオードブリッジ回路１２から給電端子６０ｂへの方向である旨の情報を含む検出信号を監視部１５に送信する。
【００４７】
一方、給電端子６０ｃはリレー４５ｃを介してＳＥと接続されるため、給電路２７ｃには電流が流れない。そのため、センサ３１ｃは、ゼロに近い電流値の情報を含む検出信号を監視部１５に送信する。ここでは、センサ３１ｄの検出信号はセンサ３１ｃと同様な内容となる。
【００４８】
監視部１５の監視制御回路５５は、センサ３１ａ〜３１ｄから検出信号を受信すると、保持していた制御信号に対応する給電路の状態を確認する（ステップ１０２）。ここでは、監視制御回路５５は、給電端子６０ｃに接続される給電路２７ｃについてセンサ３１ｃから受信した検出信号の情報を読み出し、給電路２７ｃに電流が流れていない旨の情報を監視結果とする。続いて、監視制御回路５５は、監視結果を端局装置２０５に返信するために、監視結果の情報を電気信号にしてＬＤ５７に送信する（ステップ１０３）。監視結果の情報は、ＬＤ５７で電気信号から光信号に変換された後、光アンプ５６および伝送路２ｂを介して端局装置２０５に伝送される。
【００４９】
このようにして、監視部１５が制御信号によって切り替えが指示された給電路に対応する検出信号の情報を監視結果として端局装置２０５に返信することで、端局装置２０５の操作者は、給電路の接続先の切り替えが指示通り行われたか否かを確認することできる。
【００５０】
なお、本実施形態では、監視部１５は、端局装置から制御信号を受信すると、制御信号に対応する給電路について監視結果を端局装置に返信する場合で説明したが、監視部１５は、制御信号に対応する給電路２７ｃを監視するセンサ３１ｃの検出信号に限らず、電流を検出したセンサ３１ａ、３１ｂのそれぞれから受信する検出信号の情報も含めて監視結果としてもよい。例えば、図６に示したステップ１０２において、監視制御回路５５は、給電路２７ａの電流値およびその電流の方向と、給電路２７ｂの電流値およびその電流の方向と、給電路２７ｃに電流が流れていない旨の情報を監視結果とする。また、監視制御回路５５は、センサ３１ａ〜３１ｄのそれぞれから受信する検出信号が示す情報の全てを監視結果としてもよい。これらの場合には、端局装置２０５の操作者は、切り替え指示対象の給電路以外の給電路についても状態を確認することができる。
【００５１】
また、制御信号は、給電路の切り替えを指示するための制御信号（ここでは「第１の制御信号」と称する）と、電流検出部１３でモニタされている電流に関する情報の送信を指示するための制御信号（ここでは「第２の制御信号」と称する）の２種類あってもよい。本実施形態は、制御信号が第１の制御信号の場合であり、監視制御回路５５は、上述したように、給電路の切り替えと電流値の監視結果の返信とを一括処理できる。制御信号が第２の制御信号の場合、監視制御回路５５は、第２の制御信号を切替制御部１６へ転送せず、第２の制御信号に対応する給電路の監視結果を端局装置に返信する処理を行えばよい。
【００５２】
また、監視制御回路５５が第２の制御信号に対して監視結果を端局装置に返信するが、第１の制御信号に対して監視結果を端局装置に返信しない構成であってもよい。この場合、例えば、光信号から第１の制御信号を抽出して切替制御部１６に転送するための構成として、伝送路２ａから第１の制御信号を含む光信号を分離する光カプラ（不図示）と、第１の制御信号を含む光信号を電気信号に変換するＰＤ（不図示）とを新たに設けてもよく、図５に示した構成において、光カプラ５１およびＰＤ５２は光信号から第２の制御信号を抽出して監視制御回路５５に送信する役目を果たせばよい。
【００５３】
さらに、監視部１５は、制御信号を受信するか否かによらず、一定時間毎に、電流検出部１３から受信する、センサ３１ａ〜３１ｄの検出信号に基づく監視結果を端局装置２０５に送信するようにしてもよい。この場合、ケーブルに障害等が発生すると、給電路の異常が端局装置２０５に通知される。
【００５４】
次に、給電路の切替方法および監視方法の具体例を説明する。図７および図８は光ネットワークシステムにおける給電方法の一構成例を示す図である。
【００５５】
図７および図８では、端局装置２０１および端局装置２０５の間に、３つの分岐装置５ａ〜５ｃが設けられている場合を示す。分岐装置５ａ〜５ｃは図２〜図５を参照して説明した分岐装置５と同様な構成である。分岐装置５ａに端局装置２０２が接続され、分岐装置５ｂに端局装置２０３が接続され、分岐装置５ｃに端局装置２０４が接続されている。図７では、光信号の伝送路と中継器を図に示すことを省略している。
【００５６】
図７に示す分岐装置５ａでは、給電端子６０ａが給電路２７ａ、２７ｂおよびダイオードブリッジ回路１２を介して給電端子６０ｂと接続され、給電端子６０ｃはＳＥと接続されている。分岐装置５ｂ、５ｃでは、分岐装置５ａと同様に、給電端子６０ａが給電路２７ａ、２７ｂおよびダイオードブリッジ回路１２を介して給電端子６０ｂと接続され、給電端子６０ｃはＳＥと接続されている。
【００５７】
端局装置２０１と分岐装置５ａが給電路６ａで接続され、分岐装置５ａと分岐装置５ｂが給電路６ｂで接続され、分岐装置５ｂと分岐装置５ｃが給電路６ｄで接続され、分岐装置５ｃと端局装置２０５が給電路６ｆで接続される。分岐装置５ａ〜５ｃは端局装置２０１および端局装置２０５のいずれからでも給電可能である。
【００５８】
図７に示す光ネットワークシステムの給電構成では、端局装置からの制御信号によって、分岐装置５ａ〜５ｃのそれぞれが「給電端子６０ａ−給電端子６０ｂ」給電になっていることを端局装置でモニタすることができる。
【００５９】
図７に示した光ネットワークシステムにおいて、ケーブルの障害等により給電路６ｆおよび給電路６ｂで給電できない問題が発生したことにより、給電路を切り替えた場合の一例を図８に示す。ここでは、説明を簡単にするために、図１に示した伝送路２、３には異常がないものとする。
【００６０】
端局装置２０５は、操作者の指示入力にしたがって、給電端子６０ｂをＳＥに接続するともに給電端子６０ａおよび給電端子６０ｃを接続する旨の制御信号を含む光信号を、伝送路６ｆを介して分岐装置５ｃに送信し、同じ指示内容の制御信号を含む光信号を伝送路６ｆ、６ｄ、６ｂを介して分岐装置５ａに送信する。分岐装置５ｃ、５ａは、端局装置２０５から受信した制御信号にしたがって、リレー４５ｂの接点を接点４１ｂから接点４３ｂに切り替え、リレー４５ｃの接点を接点４３ｃから接点４１ｃに切り替える。
【００６１】
分岐装置５ｃ、５ａの監視部１５は、電流検出部１３からセンサ３１ａ〜３１ｄの検出信号を受信すると、給電路２７ｃの電流値および電流の方向と、給電路２７ｂに電流が流れていない旨の情報を含む監視結果の情報を電気信号から光信号に変換して端局装置２０５に送信する。
【００６２】
一方、端局装置２０５は、操作者の指示入力にしたがって、給電端子６０ａをＳＥに接続するとともに給電端子６０ｂおよび給電端子６０ｃを接続する旨の制御信号を含む光信号を、伝送路６ｆ、６ｄを介して分岐装置５ｃに送信する。分岐装置５ｂは、端局装置２０５から受信した制御信号にしたがって、リレー４５ａの接点を接点４１ａから接点４３ａに切り替え、リレー４５ｃの接点を接点４３ｃから接点４１ｃに切り替える。分岐装置５ｂの監視部１５は、電流検出部１３からセンサ３１ａ〜３１ｄの検出信号を受信すると、給電路２７ｃの電流値および電流の方向と、給電路２７ａに電流が流れていない旨の情報を含む監視結果の情報を電気信号から光信号に変換して端局装置２０５に送信する。
【００６３】
図８に示す光ネットワークシステムの給電構成では、端局装置からの制御信号によって、分岐装置５ａ、５ｃが「給電端子６０ａ−給電端子６０ｃ」給電であり、分岐装置５ｂが「給電端子６０ｂ−給電端子６０ｃ」給電であることを端局装置でモニタすることができる。
【００６４】
図７および図８に示す構成において、分岐装置５ａ〜５ｃが、制御信号および監視結果の送受信を端局装置２０１、２０５とだけでなく、分岐装置５ａは端局装置２０２と、分岐装置５ｂは端局装置２０３と、分岐装置５ｃは端局装置２０４と、それぞれ可能にしてもよい。この場合、給電路６ｂおよび給電路６ｆと同じケーブル内の伝送路に障害が発生しても、端局装置２０２〜２０４から分岐装置５ａ〜５ｃに制御信号を送信し、これらの分岐装置５ａ〜５ｃから受信する監視結果を端局装置２０２〜２０４に表示させることで、各分岐装置内の給電構成をモニタすることができる。
【００６５】
本実施形態によれば、遠隔制御型分岐装置であっても、分岐装置内部の給電路の状態をモニタすることにより、光ネットワークシステムの現在の給電構成を端局装置で確認することが可能となる。そのため、ケーブル障害等の問題に対処するために遠隔制御で給電路を変更した際、分岐装置で給電路の切り替えが正常に切り替わったか否かを、端局装置で確認できる。
【００６６】
本発明の分岐装置および給電路監視方法を、波長多重光伝送システムおよび光ネットワークシステムに適用することができる。
【００６７】
本発明の効果の一例として、分岐装置において給電路の切り替えが正常に行われたか否かを陸上端局で確認することができる。
【００６８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００６９】
なお、この出願は、２０１１年１２月２２日に出願された日本出願の特願２０１１−２８１３５４の内容が全て取り込まれており、この日本出願を基礎として優先権を主張するものである。
【符号の説明】
【００７０】
５    分岐装置
１０    給電部
１２    ダイオードブリッジ回路
１３    電流検出部
１４    給電路切替部
１５    監視部
１６    切替制御部
【図１】
2013094266.tif 000003
【図２】
2013094266.tif 000004
【図３】
2013094266.tif 000005
【図４】
2013094266.tif 000006
【図５】
2013094266.tif 000007
【図６】
2013094266.tif 000008
【図７】
2013094266.tif 000009
【図８】
2013094266.tif 000010
【国際調査報告】
2013094266.tif 000011
2013094266.tif 000012
2013094266.tif 000013
2013094266.tif 000014